(57)【要約】溶融物吐出アセンブリ（２００）は、プラテンアセンブリ（１５０）によって画定されるプラテンエンベロープ（１５３）の外側に配置されたフレームアセンブリ（２０２）を備え、フレームアセンブリ（２０２）は、溶融物を溶融物作成アセンブリ（１１０）から受け取るように構成され、フレームアセンブリ（２０２）は、溶融物をプラテンエンベロープ（１５３）に向かって複数導管（２０７）に流体搬送するように構成された、複数出口アセンブリ（２０４）を含む。【選択図】図２
2014506841.tif 000002
【特許請求の範囲】
【請求項１】
プラテンエンベロープ（１５３）の外側に配置されるフレームアセンブリ（２０２）であって、前記フレームアセンブリ（２０２）は溶融物を受け取るように構成され、前記フレームアセンブリ（２０２）は、
前記溶融物を前記プラテンエンベロープ（１５３）に向かって複数導管（２０７）に流体搬送するように構成された複数出口アセンブリ（２０４）を含む、フレームアセンブリ（２０２）を備える、溶融物吐出アセンブリ（２００）。
【請求項２】
請求項１に記載の溶融物吐出アセンブリ（２００）であって、
前記フレームアセンブリ（２０２）は、溶融物作成アセンブリ（１１０）から離間して設置される、溶融物吐出アセンブリ（２００）。
【請求項３】
請求項１に記載の溶融物吐出アセンブリ（２００）であって、
前記フレームアセンブリ（２０２）は、プラテンアセンブリ（１５０）と溶融物作成アセンブリ（１１０）との間に配置される、溶融物吐出アセンブリ（２００）。
【請求項４】
請求項１に記載の溶融物吐出アセンブリ（２００）であって、
前記フレームアセンブリ（２０２）は、プラテンアセンブリ（１５０）の固定プラテン（１５２）と溶融物作成アセンブリ（１１０）との間に配置される、溶融物吐出アセンブリ（２００）。
【請求項５】
請求項１に記載の溶融物吐出アセンブリ（２００）であって、
前記フレームアセンブリ（２０２）は、
（ｉ）溶融物作成アセンブリ（１１０）と流体連通し、（ｉｉ）使用中に前記溶融物作成アセンブリ（１１０）によって作成され供給される前記溶融物を、使用中に受け取るように構成された流入口（２０６）を担持するように構成され、
前記複数出口アセンブリ（２０４）は、（ｉ）前記流入口（２０６）と流体連通し、（ｉｉ）プラテンアセンブリ（１５０）によって担持された金型アセンブリ（１８０）に向かって前記溶融物を使用中に送るように構成される、溶融物吐出アセンブリ（２００）。
【請求項６】
請求項１に記載の溶融物吐出アセンブリ（２００）であって、
固定プラテン（１５２）はランナーアセンブリ（１９０）を担持するように構成され、
前記複数出口アセンブリ（２０４）は、溶融物作成アセンブリ（１１０）から前記ランナーアセンブリ（１９０）に使用中に前記溶融物を送るように構成される、溶融物吐出アセンブリ（２００）。
【請求項７】
請求項１に記載の溶融物吐出アセンブリ（２００）であって、
固定プラテン（１５２）はランナーアセンブリ（１９０）を担持するように構成され、
前記複数出口アセンブリ（２０４）は、溶融物作成アセンブリ（１１０）から、前記固定プラテン（１５２）を通り抜けて延在する前記複数導管（２０７）に沿って前記ランナーアセンブリ（１９０）に使用中に前記溶融物を送るように構成される、溶融物吐出アセンブリ（２００）。
【請求項８】
請求項１に記載の溶融物吐出アセンブリ（２００）であって、
固定プラテン（１５２）はランナーアセンブリ（１９０）を担持するように構成され、
前記複数出口アセンブリ（２０４）は、溶融物作成アセンブリ（１１０）から、前記固定プラテン（１５２）を迂回する前記複数導管（２０７）に沿って前記ランナーアセンブリ（１９０）に使用中に前記溶融物を送るように構成される、溶融物吐出アセンブリ（２００）。
【請求項９】
請求項１に記載の溶融物吐出アセンブリ（２００）であって、
流入口（２０６）と、
前記流入口（２０６）および前記複数出口アセンブリ（２０４）を
射出ポットアセンブリの群（４００Ａ、４００Ｂ、４００Ｃ、４００Ｄ）と、
前記射出ポットアセンブリの群（４００Ａ、４００Ｂ、４００Ｃ、４００Ｄ）と相互作用するように構成された弁アセンブリの群（４０２Ａ、４０２Ｂ、４０２Ｃ、４０２Ｄと、に流体連結するように構成される溶融物流路（２０１）と、
を含み、
前記複数出口アセンブリ（２０４）の各流出口は、前記弁アセンブリの群（４０２Ａ、４０２Ｂ、４０２Ｃ、４０２Ｄ）のそれぞれの弁アセンブリと流体連結する、溶融物吐出アセンブリ（２００）。
【請求項１０】
請求項１に記載の溶融物吐出アセンブリ（２００）であって、
流入口（２０６）と、
前記流入口（２０６）を
射出ポットアセンブリ（４００）と、
前記射出ポットアセンブリ（４００）と相互作用するように構成された弁アセンブリ（４０２）と、
に流体連結するように構成された溶融物流路（２０１）と、
を含み、
前記複数出口アセンブリ（２０４）の各流出口は、前記弁アセンブリ（４０２）と流体連結される、溶融物吐出アセンブリ（２００）。
【請求項１１】
請求項１に記載の溶融物吐出アセンブリ（２００）であって、
流入口（２０６）と、
前記流入口（２０６）を前記複数出口アセンブリ（２０４）と流体連結するように構成された溶融物流路（２０１）と、
を含む、溶融物吐出アセンブリ（２００）。
【請求項１２】
請求項１に記載の溶融物吐出アセンブリ（２００）であって、
固定プラテン（１５２）はランナーアセンブリ（１９０）を担持するように構成され、
前記複数出口アセンブリ（２０４）は、溶融物作成アセンブリ（１１０）から前記ランナーアセンブリ（１９０）に使用中に前記溶融物を送るように構成され、
前記ランナーアセンブリ（１９０）は、
それぞれが前記複数出口アセンブリ（２０４）のそれぞれの流出口と流体連結するように構成された１組の分割モジュール（１９４）と、
マニホールドモジュールの集合体（１９６）であって、前記マニホールドモジュールの集合体（１９６）の各マニホールドモジュールは、前記分割モジュールの組の選択された分割モジュール（２０４）と流体連結するように構成され、前記マニホールドモジュールの集合体（１９６）は、金型アセンブリ（１８０）の固定金型部（１８２）と流体連結するように構成される、マニホールドモジュールの集合体（１９６）と、
を担持するように構成されたランナーフレームアセンブリ（１９２）を含む、溶融物吐出アセンブリ（２００）。
【請求項１３】
請求項１に記載の溶融物吐出アセンブリ（２００）であって、
固定プラテン（１５２）はランナーアセンブリ（１９０）を担持するように構成され、
前記固定プラテン（１５２）は、それぞれが前記複数出口アセンブリ（２０４）のそれぞれの流出口と流体連結するように構成された、１組の分割モジュール（１９４）を収納し担持するように構成され、
前記複数出口アセンブリ（２０４）は溶融物作成アセンブリ（１１０）から分割モジュールの前記組（１９４）に使用中に前記溶融物を送るように構成され、
前記ランナーアセンブリ（１９０）は、
マニホールドモジュールの集合体（１９６）であって、前記マニホールドモジュールの集合体（１９６）の各マニホールドモジュールは、前記分割モジュールの組（１９４）の選択された分割モジュールと流体連結するように構成され、前記マニホールドモジュールの集合体（１９６）は、金型アセンブリ（１８０）の固定金型部（１８２）と流体連結するように構成される、マニホールドモジュールの集合体（１９６）を担持するように構成されたランナーフレームアセンブリ（１９２）を含む、溶融物吐出アセンブリ（２００）。
【請求項１４】
請求項１に記載の溶融物吐出アセンブリ（２００）であって、
固定プラテン（１５２）は、
（ｉ）そのそれぞれが前記複数出口アセンブリ（２０４）のそれぞれの流出口と流体連結するように構成された、１組の分割モジュール（１９４）と、
（ｉｉ）マニホールドモジュールの集合体（１９６）であって、前記マニホールドモジュールの集合体（１９６）の各マニホールドモジュールは、前記分割モジュールの組（１９４）の選択された分割モジュールと流体連結するように構成され、前記マニホールドモジュールの集合体（１９６）は、金型アセンブリ（１８０）の固定金型部（１８２）と流体連結するように構成される、マニホールドモジュールの集合体（１９６）と、
を収納し担持するように構成され、
前記複数出口アセンブリ（２０４）は溶融物作成アセンブリ（１１０）から分割モジュールの前記組（１９４）に使用中に前記溶融物を送るように構成される、溶融物吐出アセンブリ（２００）。
【請求項１５】
請求項１に記載の溶融物吐出アセンブリ（２００）であって、
それぞれが前記複数出口アセンブリ（２０４）のそれぞれの流出口と流体連結するように構成された、１組の分割モジュール（１９４）を担持するように構成され、
固定プラテン（１５２）はマニホールドモジュールの集合体（１９６）を担持するように構成され、前記マニホールドモジュールの集合体（１９６）の各マニホールドモジュールは、前記分割モジュールの組（１９４）の選択された分割モジュールと流体連結するように構成され、前記マニホールドモジュールの集合体（１９６）は、金型アセンブリ（１８０）の固定金型部（１８２）と流体連結するように構成され、
前記複数出口アセンブリ（２０４）は、溶融物作成アセンブリ（１１０）から分割モジュールの前記組（１９４）に使用中に前記溶融物を送るように構成される、溶融物吐出アセンブリ（２００）。
【請求項１６】
請求項１に記載の溶融物吐出アセンブリ（２００）であって、
前記複数導管（２０７）は、前記複数出口アセンブリ（２０４）を金型アセンブリ（１８０）の固定金型部（１８２）と流体連結するように構成され、前記複数導管（２０７）は固定プラテン（１５２）を通り抜けて延在する、溶融物吐出アセンブリ（２００）。
【請求項１７】
請求項１に記載の溶融物吐出アセンブリ（２００）であって、
前記複数出口アセンブリ（２０４）を金型アセンブリ（１８０）の固定金型部（１８２）と流体連結するように構成された前記複数導管（２０７）であって、前記複数導管（２０７）は固定プラテン（１５２）を迂回する、溶融物吐出アセンブリ（２００）。
【請求項１８】
請求項１に記載の溶融物吐出アセンブリ（２００）であって、
流入口（２０６）と、
前記流入口（２０６）および前記複数出口アセンブリ（２０４）を
前記溶融物流路（２０１）を通って前記溶融物を動かすように構成された溶融物移動アセンブリ（９００）と流体連結するように構成された溶融物流路（２０１）と、
を含む、溶融物吐出アセンブリ（２００）。
【請求項１９】
請求項１に記載の溶融物吐出アセンブリ（２００）であって、
固定プラテン（１５２）は、ランナーアセンブリ（１９０）を担持するように構成され、前記ランナーアセンブリ（１９０）は、金型アセンブリ（１８０）の可動金型部（１８２）と連結するように構成され、
前記複数出口アセンブリ（２０４）は、前記溶融物作成アセンブリ（１１０）から、前記ランナーアセンブリ（１９０）に、かつ前記金型アセンブリ（１８０）の前記固定金型部（１８２）に前記複数導管（２０７）に沿って、使用中に前記溶融物を送るように構成される、溶融物吐出アセンブリ（２００）。
【請求項２０】
請求項１から１９のいずれか一項に記載の溶融物吐出アセンブリ（２００）を備える、成形システム（１００）。
【請求項２１】
請求項１から１９のいずれか一項に記載の溶融物吐出アセンブリ（２００）と、両方が協働するように構成されたプラテンアセンブリ（１５０）および溶融物作成アセンブリ（１１０）を備える、成形システム（１００）。
【請求項２２】
請求項１から１９のいずれか一項に記載の前記溶融物吐出アセンブリ（２００）を備える、溶融物作成アセンブリ（１１０）。
【請求項２３】
請求項１から１９のいずれか一項に記載の前記溶融物吐出アセンブリ（２００）を備える、プラテンアセンブリ（１５０）。
【請求項２４】
請求項１から１９のいずれか一項に記載の前記溶融物吐出アセンブリ（２００）を備える、金型アセンブリ（１８０）。
【発明の詳細な説明】
【技術分野】
【０００１】
一態様は、（これに限定されないが）溶融物吐出アセンブリおよび／または溶融物吐出アセンブリを有する成形システムに関する。
【発明の概要】
【課題を解決するための手段】
【０００２】
一態様によれば、プラテンエンベロープの外側に配置されたフレームアセンブリを備える、溶融物吐出アセンブリが提供され、フレームアセンブリは、溶融物を溶融物作成アセンブリから受け取るように構成され、またフレーム組立体は、溶融物をプラテンエンベロープに向かって複数導管に流動的に搬送するように構成された複数出口アセンブリを（これに限定されず、例として）含む。
【０００３】
次に、非限定的な実施形態の他の態様および利点は、添付図面とともに非限定的な実施形態の以下の詳述を検討すると当業者には明確になろう。
【０００４】
非限定的な実施形態は、非限定的な実施形態の以下の詳細な説明を添付の図面とともに参照することにより、より良く理解されよう。
【図面の簡単な説明】
【０００５】
【図１】(包括的に)溶融物吐出アセンブリ２００の様々な概略図である。
【図２】(包括的に)溶融物吐出アセンブリ２００の様々な概略図である。
【図３】(包括的に)溶融物吐出アセンブリ２００の様々な概略図である。
【図４】(包括的に)溶融物吐出アセンブリ２００の様々な概略図である。
【図５】(包括的に)溶融物吐出アセンブリ２００の様々な概略図である。
【図６】(包括的に)溶融物吐出アセンブリ２００の様々な概略図である。
【図７】(包括的に)溶融物吐出アセンブリ２００の様々な概略図である。
【図８】(包括的に)溶融物吐出アセンブリ２００の様々な概略図である。
【図９】(包括的に)溶融物吐出アセンブリ２００の様々な概略図である。
【図１０】(包括的に)溶融物吐出アセンブリ２００の様々な概略図である。
【図１１】(包括的に)溶融物吐出アセンブリ２００の様々な概略図である。
【図１２】(包括的に)溶融物吐出アセンブリ２００の様々な概略図である。
【図１３】(包括的に)溶融物吐出アセンブリ２００の様々な概略図である。
【図１４】(包括的に)溶融物吐出アセンブリ２００の様々な概略図である。
【０００６】
図面は、必ずしも一定の縮尺ではなく、想像線、図表示および部分図によって示される場合がある。ある種の例では、実施形態の理解のために不要な詳細（および／または把握が困難である他の詳細を表示する詳細）は、省略された場合がある。
【発明を実施するための形態】
【０００７】
例として、および発明を実施するための形態に提供されたあらゆる具体的詳細に限定されず、図１から１４は（包括的に）溶融物吐出アセンブリ２００の概略図を示す。溶融物吐出アセンブリ２００は、（これに限定されず）当業者に公知であり得る構成部品を含んでもよい。これらの公知の構成部品は本明細書に説明されず、これらの公知の構成部品は少なくとも一部が以下の参考図書（たとえば）に記載されていることが理解されよう：（ｉ）「Ｉｎｊｅｃｔｉｏｎ  Ｍｏｌｄｉｎｇ  Ｈａｎｄｂｏｏｋ」ＯＳＳＷＡＬＤ、ＴＵＲＮＧ、ＧＲＡＭＡＮＮ著（ＩＳＢＮ：３−４４６−２１６６９−２）、（ｉｉ）「Ｉｎｊｅｃｔｉｏｎ  Ｍｏｌｄｉｎｇ  Ｈａｎｄｂｏｏｋ」ＲＯＳＡＴＯおよびＲＯＳＡＴＯ著（ＩＳＢＮ：０−４１２−９９３８１−３）、（ｉｉｉ）「Ｉｎｊｅｃｔｉｏｎ  Ｍｏｌｄｉｎｇ  Ｓｙｓｔｅｍｓ」第３版、ＪＯＨＡＮＮＡＢＥＲ著（ＩＳＢＮ：３−４４６−１７７３３−７）および／または（ｉｖ）「Ｒｕｎｎｅｒ  ａｎｄ  Ｇａｔｉｎｇ  Ｄｅｓｉｇｎ  Ｈａｎｄｂｏｏｋ」ＢＥＡＵＭＯＮＴ著（ＩＳＢＮ：１−４４６−２２６７２−９）。本文書のために、語句「含む（これに限定されず、例として）」は、用語「備える」と等価であることが理解されよう。用語「備える」は、特許請求の範囲のプリアンブルを特許請求の範囲に説明された特定要素に関連させる、移行句または用語であり、特許請求の範囲に説明された特定要素は、実際に発明自体であるものを定義する。移行句は、特許請求の範囲の限定として作用し、類似装置、方法、または組成物は、被疑侵害装置（など）が特許請求の範囲より多いまたは少ない要素を含む場合に、特許を侵害するかどうかを示す。用語「備える」は、開放移行として取り扱われるべきであり、開放移行は前文を特許請求の範囲に同定されるいかなる要素にも限定しないので、開放移行は、移行の最も広義の形である。
【０００８】
図１を参照すると、溶融物吐出アセンブリ２００は、フレームアセンブリ２０２（これに限定されず、例として）を含んでもよい。フレームアセンブリ２０２は、プラテンエンベロープ１５３の外側に配置されてもよい。プラテンエンベロープ１５３は、たとえば、外周またはプラテンアセンブリ１５０の外側限界の周囲に延在する境界として画定されてもよく、プラテンアセンブリ１５０の例は以下でさらに提供される。フレームアセンブリ２０２は溶融物を受け取るように構成されてもよい。溶融物は溶融物作成アセンブリ１１０によって提供されてもよい。溶融物作成アセンブリ１１０の例は、バレル装置内に受け取られるねじアセンブリによってバレル装置に連結されるホッパー装置（これに限定されず、例として）を有する押出アセンブリ（これに限定されず、例として）を含んでもよい。溶融物作成アセンブリ１１０は、（ｉ）凝固した樹脂（たとえば、ペレットなど）を受け取るように、また（ｉｉ）樹脂を流動可能な流体である溶融物に変えまたは作成して、次いで溶融物を溶融物吐出アセンブリ２００に提供するように構成されたアセンブリであってもよい。フレームアセンブリ２０２は、複数出口アセンブリ２０４（これに限定されず、例として）を含んでもよい。複数出口アセンブリ２０４は、溶融物をプラテンエンベロープ１５３へ向かって複数導管２０７に流体搬送するように構成されてもよい。複数導管２０７は、第１の導管２０７Ａおよび第２の導管２０７Ｂ（これに限定されず、例として）を含んでもよい。例として、複数出口アセンブリ２０４は、流出口２０４Ａと、流出口２０４Ａから離間されてもよい流出口２０４Ｂと（これに限定されず、例として）を含んでもよい。また、図１は、以下のアセンブリの以下の概略図などを示す：（ｉ）成形システム１００、（ｉｉ）溶融物作成アセンブリ１１０、（ｉｉｉ）プラテンアセンブリ１５０、および（ｉｖ）ランナーアセンブリ１９０。成形システム１００、溶融物作成アセンブリ１１０、プラテンアセンブリ１５０、ランナーアセンブリ１９）および溶融物吐出アセンブリ２００が組み立てられ、一販売業者によって販売されてもよく、またはアセンブリとしてのあらゆる置換および組合せにおいて様々な販売業者によって供給されてもよいことが理解されよう。ランナーアセンブリ１９０は、プラテンアセンブリ１５０に連結され、プラテンアセンブリ１５０によって担持されるアセンブリであり、ランナーアセンブリ１９０を使用して、溶融物を金型アセンブリ１８０に分散してもよい。例として、溶融物作成アセンブリ１１０は、溶融物吐出アセンブリ２００（これに限定されず、例として）を含んでもよいことが理解されよう。加えて、プラテンアセンブリ１５０は、溶融物吐出アセンブリ２００（これに限定されず、例として）を含んでもよいことも理解されよう。また、金型アセンブリ１８０は、溶融物吐出アセンブリ２００（これに限定されず、例として）を含んでもよいことが理解されよう。その上、成形システム１００は、溶融物吐出アセンブリ２００（これに限定されず、例として）を含んでもよいことが理解されよう。さらに加えて、成形システム１００は、（ｉ）両方が溶融物吐出アセンブリ２００と協働するように構成された、プラテンアセンブリ１５０および溶融物作成アセンブリ１１０（これに限定されず、例として）を含んでもよいことが理解されよう。プラテンアセンブリ１５０は、（ｉ）固定プラテン１５２、（ｉｉ）可動プラテン１５４、（ｉｉｉ）ロッドアセンブリ１５６、（ｉｖ）クランプユニット１５８、および（ｖ）ロックアセンブリ１６０（これに限定されず、例として）を含んでもよい。可動プラテン１５４は、固定プラテン１５２に対して可動であるように構成されてもよい。ロッドアセンブリ１５６は、固定プラテン１５２と可動プラテン１５４との間に延在するように構成されてもよい。クランプ装置１５８は、固定プラテン１５２でロッドアセンブリ１５６のそれぞれのロッドの各端部に取付けられてもよい。ロックアセンブリ１６０は、可動プラテン１５４でロッドアセンブリ１５６のそれぞれのロッドの各端部に取付けられてもよい。クランプ装置１５８は、固定プラテン１５２および可動プラテン１５４に使用中にクランプ力を選択的に加えるように構成されてもよい。固定プラテン１５２および可動プラテン１５４によって使用中にクランプ力が受け取られる間に、固定プラテン１５２に対して可動プラテン１５４をロックアセンブリ１６０は固定する、または動きを防止するように構成されてもよい。固定プラテン１５２および可動プラテン１５４は金型アセンブリ１８０を担持するように構成される。金型アセンブリ１８０は、（ｉ）固定金型部１８２、および（ｉｉ）固定金型部１８２に対して可動であるように構成することもできる可動金型部１８４（これらに限定されず、例として）を含んでもよい。固定プラテン１５２は、固定金型部１８２を担持し、固定金型部１８２と連結するように構成されてもよい。可動プラテン１５４は、可動金型部１８４を担持し、可動金型部１８４と連結するように構成されてもよく、それにより、固定金型部１８２と可動金型部１８４は互いに面する。金型アセンブリ１８０は、溶融物を溶融物作成アセンブリ１１０から受け取るために使用されることもできる複数の金型キャビティを画定してもよく、次いで溶融物は、ＰＥＴ（ポリエチレンテレフタレート）が機能するような成形品を形成するように、金型キャビティ内で凝固してもよい。フレームアセンブリ２０２は、溶融物作成アセンブリ１１０から離間して設置されてもよい。フレームアセンブリ２０２は、プラテンアセンブリ１５０と溶融物作成アセンブリ１１０との間に配置されてもよい。フレームアセンブリ２０２は、プラテンアセンブリ１５０の固定プラテン１５２と溶融物作成アセンブリ１１０との間に配置されてもよい。残りの図１から１３に対して、プラテンアセンブリ１５０の限定された態様のみが示され得ることが理解されよう。
【０００９】
図２を参照すると、図１の溶融物吐出アセンブリ２００は変更されてもよく、またはフレームアセンブリ２０２が、（ｉ）溶融物作成アセンブリ１１０と流体連通するように、また（ｉｉ）溶融物作成アセンブリ１１０によって使用中に作成され供給される溶融物を、使用中に受け取るように構成された流入口２０６を担持するように構成され得るように適合されてもよい。加えて、複数出口アセンブリ２０４は、（ｉ）流入口２０６と流体連通するように、また（ｉｉ）溶融物をプラテンアセンブリ１５０によって担持される金型アセンブリ１８０に向かって使用中に送るように構成されてもよい。図２に示された例として、複数出口アセンブリ２０４は、流出口２０４Ａ、流出口２０４Ｂ、流出口２０４Ｃ、流出口２０４Ｄ（これに限定されず、例として）を含んでもよい。一変形形態によれば、固定プラテン１５２は、ランナーアセンブリ１９０を担持するように構成されてもよく、複数出口アセンブリ２０４は、溶融物作成アセンブリ１１０からランナーアセンブリ１９０に使用中に溶融物を送るように構成されてもよい。別の変形形態によれば、固定プラテン１５２はランナーアセンブリ１９０を担持するように構成されてもよく、複数出口アセンブリ２０４は、溶融物作成アセンブリ１１０から固定プラテン１５２を通り抜けて延在する複数導管２０７に沿って、溶融物をランナーアセンブリ１９０に使用中に送るように構成されてもよい。
【００１０】
図３を参照すると、図１の溶融物吐出アセンブリ２００は変更されてもよく、または（Ａ）固定プラテン１５２がランナーアセンブリ１９０を担持するように構成されてもよく、（Ｂ）複数出口アセンブリ２０４が、溶融物作成アセンブリ１１０から固定プラテン１５２を迂回して複数導管２０７に沿って溶融物をランナーアセンブリ１９０に使用中に送るように構成され得るように適合されてもよい。以下の記載は、あらゆる図に適用されてもよい、すなわち、複数導管２０７のすべてが固定プラテン１５２を迂回しなければならないことはなく、複数導管２０７の一部が固定プラテン１５２を迂回してもよい一方で、他の複数導管２０７は、固定プラテン１５２を通り抜けて延在してもよいことが理解されよう。
【００１１】
図４を参照すると、図１の溶融物吐出アセンブリ２００は変更されてもよく、または溶融物吐出アセンブリ２００は、流入口２０６および複数出口アセンブリ２０４が、（ｉ）射出ポットアセンブリの群４００Ａ、４００Ｂ、４００Ｃ、４００Ｄおよび（ｉｉ）射出ポットアセンブリの群４００Ａ、４００Ｂ、４００Ｃ、４００Ｄと相互作用するように構成された弁アセンブリの群４０２Ａ、４０２Ｂ、４０２Ｃ、４０２Ｄと流体連結するように構成される溶融物流路２０１（これに限定されず、例として）を含み得るように適合されてもよい。溶融物作成アセンブリ１１０に向かって溶融物の黒色の流れを防止するように、弁アセンブリが使用または構成されてもよい。加えて、複数出口アセンブリ２０４の各流出口は、弁アセンブリの群４０２Ａ、４０２Ｂ、４０２Ｃ、４０２Ｄのそれぞれの弁アセンブリと流体連結されてもよい。図４に示された例によれば、溶融物吐出アセンブ２００は複数の射出ポットアセンブリ（これに限定されず、例として）を含んでもよく、溶融物作成アセンブリ１１０は、溶融物を複数の射出ポットアセンブリに供給する、または提供するように構成されてもよい。あらゆる数の射出ポットアセンブリが、必要に応じて使用されてもよいことが理解されよう。射出ポットアセンブリは、板アセンブリ、ねじ、水圧手段、電気的手段などによって駆動または作動されてもよい。図４に示された例によれば、示された配置は、公知の成形システムからの圧力下で分割の数を低減してもよい。溶融物作成アセンブリ１１０から射出ポットアセンブリへの分割は、分割が比較的高い圧力下ではないので、問題ではない。複数導管２０７は、必要に応じて、可撓性があってもなくてもよいことが理解されよう。複数導管２０７は、第１の導管２０７Ａ、第２の導管２０７Ｂ、第３の導管２０７Ｃ、および第４の導管２０７Ｄ（これらに限定されず、例として）を含んでもよい。
【００１２】
図５を参照すると、図１の溶融物吐出アセンブリ２００は変更されてもよく、または溶融物吐出アセンブリ２００は、流入口２０６が（ｉ）射出ポットアセンブリ４００、および（ｉｉ）射出ポットアセンブリ４００と相互作用するように構成されてもよい弁アセンブリ４０２と流体連結するように構成されてもよい溶融物流路２０１（これに限定されず、例として）を含み得るように適合されてもよい。複数出口アセンブリ２０４の各流出口は、弁アセンブリ４０２と流体連結されてもよい。図５に示された例は、単一の射出ポットアセンブリを利用して、（図４に示された例などの）複数の射出ポットアセンブリを使用するのとは対照的に、複数導管２０７を介してプラテンエンベロープ１５３に溶融物を供給し得るように配置される。一変形形態によれば、射出ポットアセンブリは、固定プラテン１５２内の少なくとも一部に配置されてもよい。複数導管２０７は、可撓性があってもなくてもよいことが理解されよう。
【００１３】
図６を参照すると、図１の溶融物吐出アセンブリ２００は変更されてもよく、または溶融物吐出アセンブリ２００は、流入口２０６が複数出口アセンブリ２０４と流体連結するように構成されてもよい溶融物流路２０１（これに限定されず、例として）を含み得るように適合されてもよい。
【００１４】
図７を参照すると、図１の溶融物吐出アセンブリ２００は変更されてもよく、固定プラテン１５２がランナーアセンブリ１９０を担持するように構成されてもよく、複数出口アセンブリ２０４が、溶融物作成アセンブリ１１０からランナーアセンブリ１９０に使用中に溶融物を送るように構成され得るように適合されてもよい。ランナーアセンブリ１９０は、（ｉ）それぞれが複数出口アセンブリ２０４のそれぞれの流出口と流体連結するように構成される１組の分割モジュール１９４、および（ｉｉ）マニホールドモジュールの集合体１９６を担持するように構成されてもよいランナーフレームアセンブリ１９２（これに限定されず、例として）を含んでもよい。マニホールドモジュールの集合体１９６の各マニホールドモジュールは、分割モジュール１０４の組の選択された分割モジュールと流体連結するように構成されてもよい。マニホールドモジュールの集合体１９６は、金型アセンブリ１８０の固定金型部１８２と流体連結するように構成されてもよい。図７に示された例によれば、固定プラテン１５２の他方側部上に、溶融物をマニホールドに供給するように構成された分割モジュール１９４が存在する。分割モジュール１９４およびマニホールドモジュール１９６は、必要に応じてランナーアセンブリ１９０内の溶融物の流れを分割し得るように提供してもよいことが理解されよう。分割モジュール１９４およびマニホールドモジュール１９６の数に制限はないことが理解されよう。
【００１５】
図８を参照すると、図１の溶融物吐出アセンブリ２００は変更されてもよく、または固定プラテン１５２がランナーアセンブリ１９０を担持するように構成され得るように適合されてもよい。固定プラテン１５２は、それぞれが複数出口アセンブリ２０４の各流出口と流体連結するように構成される１組の分割モジュール１９４を収納し担持するように構成されてもよい。複数出口アセンブリ２０４は、溶融物作成アセンブリ１１０から分割モジュールの組１９４に使用中に溶融物を送るように構成されてもよい。ランナーアセンブリ１９０は、マニホールドモジュールの集合体１９６を担持するように構成されてもよいランナーフレームアセンブリ１９２（これに限定されず、例として）を含んでもよい。マニホールドモジュールの集合体１９６の各マニホールドモジュールは、分割モジュールの組１９４の選択された分割モジュールと流体連結するように構成されてもよい。マニホールドモジュールの集合体１９６は、金型アセンブリ１８０の固定金型部１８２と流体連結するように構成されてもよい。
【００１６】
図９を参照すると、図１の溶融物吐出アセンブリ２００は変更されてもよく、または固定プラテン１５２は、（ｉ）それぞれが複数出口アセンブリ２０４の各流出口と流体連結するように構成される１組の分割モジュール１９４、および（ｉｉ）マニホールドモジュールの集合体１９６を収納し担持するように構成され得るように適合されてもよい。マニホールドモジュールの集合体１９６の各マニホールドモジュールは、分割モジュールの組１９４の選択された分割モジュールと流体連結するように構成されてもよい。マニホールドモジュールの集合体１９６は、金型アセンブリ１８０の固定金型部１８２と流体連結するように構成されてもよい。複数出口アセンブリ２０４は、溶融物作成アセンブリ１１０から分割モジュールの組１９４に使用中に溶融物を送るように構成されてもよい。
【００１７】
図１０を参照すると、図１の溶融物吐出アセンブリ２００は変更されてもよく、または溶融物吐出アセンブリ２００は、そのそれぞれが複数出口アセンブリ２０４の各流出口と流体連結するように構成される１組の分割モジュール１９４を担持するように構成され得るように適合されてもよい。固定プラテン１５２は、マニホールドモジュールの集合体１９６を担持するように構成されてもよい。マニホールドモジュールの集合体１９６の各マニホールドモジュールは、分割モジュールの組１９４の選択された分割モジュールと流体連結するように構成されてもよい。マニホールドモジュールの集合体１９６は、金型アセンブリ１８０の固定金型部１８２と流体連結するように構成されてもよい。複数出口アセンブリ２０４は、溶融物作成アセンブリ１１０から分割モジュールの組１９４に使用中に溶融物を送るように構成されてもよい。
【００１８】
図１１を参照すると、図１の溶融物吐出アセンブリ２００は変更されてもよく、または複数導管２０７は、複数出口アセンブリ２０４が金型アセンブリ１８０の固定金型部１８２と流体連結するように構成され得るように適合されてもよい。複数導管２０７は、固定プラテン１５２を通り抜けて延在してもよい。
【００１９】
図１２を参照すると、図１の溶融物吐出アセンブリ２００は変更されてもよく、または複数導管２０７は、複数出口アセンブリ２０４が金型アセンブリ１８０の固定金型部１８２と流体連結するように構成され得るように適合されてもよい。複数導管２０７は、固定プラテン１５２を迂回してもよい。
【００２０】
図１３を参照すると、図１の溶融物吐出アセンブリ２００は変更されてもよく、または溶融物吐出アセンブリ２００は、（ｉ）流入口２０６、ならびに（ｉ）流入口２０６および複数出口アセンブリ２０４が溶融物移動アセンブリ９００と流体連結するように構成された溶融物流路２０１（これに限定されず、例として）を含み得るように適合されてもよい。溶融物移動アセンブリ９００は、溶融物流路２０１を通って溶融物を動かす（または押圧する）ように構成されてもよい。溶融物移動アセンブリ９００は、射出ポットアセンブリまたは溶融物吐出アセンブリ２００の溶融物流路２０１を通って溶融物を動かすように設計され、構成され得る等価の機構もしくはアセンブリを含んでもよい。溶融物移動アセンブリ９００は、部分アセンブリ、または溶融物をそれぞれの選択された流出口２０４などを通って、使用中に搬送するように構成されるサブアセンブリまたはモジュールを含んでもよいことが理解されよう。
【００２１】
図１４を参照すると、図１の溶融物吐出アセンブリ２００は変更されてもよく、または（Ａ）固定プラテン１５２は、ランナーアセンブリ１９０を担持するように構成され得、ランナーアセンブリ１９０は、金型アセンブリ１８０の可動金型部１８２と連結するように構成され得るように、かつ（Ｂ）複数出口アセンブリ２０４は、溶融物作成アセンブリ１１０からランナーアセンブリ１９０に、および金型アセンブリ１８０の固定金型部１８２に複数導管２０７に沿って使用中に溶融物を送るように構成され得るように適合されてもよい。複数導管２０７は、固定プラテン１５２を迂回して、かつ／または固定プラテン１５２を通り抜けて延在してもよいことが理解されよう。
【００２２】
上記のアセンブリおよびモジュールは、そのすべてを明白な語で記載する必要なしに、こうした組合せおよび置換をするために、当業者の範囲内で所望の機能および課題を実行する必要に応じて相互に連結されてもよいことが理解されよう。
【００２３】
本発明の範囲は、独立請求項（複数可）によって提供された範囲に限定されることが理解され、また、本発明の範囲は、（ｉ）従属請求項、（ｉｉ）非限定的な実施形態の詳述、（ｉｉｉ）発明の概要、（ｉｖ）要約書、および／または（ｖ）本文書以外から提供された記載（すなわち、出願された、請求された、かつ／または認可された出願自体以外）に限定されないことも理解される。本文書のために、語句「含む（これに限定されず、例として）」は、用語「備える」と等価であることが理解されよう。前述は非限定的な実施形態（例）の概要を述べたことに留意されたい。本明細書は、特に非限定的な実施形態（例）に適合する。非限定的な実施形態は、例示として示されているに過ぎないことを理解されたい。
【図１】
2014506841.tif 000003
【図２】
2014506841.tif 000004
【図３】
2014506841.tif 000005
【図４】
2014506841.tif 000006
【図５】
2014506841.tif 000007
【図６】
2014506841.tif 000008
【図７】
2014506841.tif 000009
【図８】
2014506841.tif 000010
【図９】
2014506841.tif 000011
【図１０】
2014506841.tif 000012
【図１１】
2014506841.tif 000013
【図１２】
2014506841.tif 000014
【図１３】
2014506841.tif 000015
【図１４】
2014506841.tif 000016
【手続補正書】
【提出日】平成24年4月25日(2012.4.25)
【手続補正１】
【補正対象書類名】特許請求の範囲
【補正対象項目名】全文
【補正方法】変更
【補正の内容】
【特許請求の範囲】
【請求項１】
プラテンエンベロープ（１５３）の外側に配置されるフレームアセンブリ（２０２）であって、前記フレームアセンブリ（２０２）は溶融物を受け取るように構成され、前記フレームアセンブリ（２０２）は、
前記溶融物を前記プラテンエンベロープ（１５３）に向かって複数導管（２０７）に流体搬送するように構成された複数出口アセンブリ（２０４）を含み、
前記複数導管（２０７）は前記複数出口アセンブリ（２０４）を金型アセンブリ（１８０）の固定金型部（１８２）に流体連結するように構成され、前記複数導管は固定プラテン（１５２）を通り抜けて延在する、フレームアセンブリ（２０２）を備える、溶融物吐出アセンブリ（２００）。
【請求項２】
請求項１に記載の溶融物吐出アセンブリ（２００）であって、
前記フレームアセンブリ（２０２）は、溶融物作成アセンブリ（１１０）から離間して設置される、溶融物吐出アセンブリ（２００）。
【請求項３】
請求項１に記載の溶融物吐出アセンブリ（２００）であって、
前記フレームアセンブリ（２０２）は、プラテンアセンブリ（１５０）と溶融物作成アセンブリ（１１０）との間に配置される、溶融物吐出アセンブリ（２００）。
【請求項４】
請求項１に記載の溶融物吐出アセンブリ（２００）であって、
前記フレームアセンブリ（２０２）は、プラテンアセンブリ（１５０）の前記固定プラテン（１５２）と溶融物作成アセンブリ（１１０）との間に配置される、溶融物吐出アセンブリ（２００）。
【請求項５】
請求項１に記載の溶融物吐出アセンブリ（２００）であって、
前記フレームアセンブリ（２０２）は、
（ｉ）溶融物作成アセンブリ（１１０）と流体連通し、（ｉｉ）使用中に前記溶融物作成アセンブリ（１１０）によって作成され供給される前記溶融物を、使用中に受け取るように構成された流入口（２０６）を担持するように構成され、
前記複数出口アセンブリ（２０４）は、（ｉ）前記流入口（２０６）と流体連通し、（ｉｉ）プラテンアセンブリ（１５０）によって担持された前記金型アセンブリ（１８０）に向かって前記溶融物を使用中に送るように構成される、溶融物吐出アセンブリ（２００）。
【請求項６】
請求項１に記載の溶融物吐出アセンブリ（２００）であって、
前記固定プラテン（１５２）はランナーアセンブリ（１９０）を担持するように構成され、
前記複数出口アセンブリ（２０４）は、溶融物作成アセンブリ（１１０）から前記ランナーアセンブリ（１９０）に使用中に前記溶融物を送るように構成される、溶融物吐出アセンブリ（２００）。
【請求項７】
請求項１に記載の溶融物吐出アセンブリ（２００）であって、
前記固定プラテン（１５２）はランナーアセンブリ（１９０）を担持するように構成され、
前記複数出口アセンブリ（２０４）は、溶融物作成アセンブリ（１１０）から、前記固定プラテン（１５２）を通り抜けて延在する前記複数導管（２０７）に沿って前記ランナーアセンブリ（１９０）に使用中に前記溶融物を送るように構成される、溶融物吐出アセンブリ（２００）。
【請求項８】
請求項１に記載の溶融物吐出アセンブリ（２００）であって、
流入口（２０６）と、
前記流入口（２０６）および前記複数出口アセンブリ（２０４）を
射出ポットアセンブリの群（４００Ａ、４００Ｂ、４００Ｃ、４００Ｄ）と、
前記射出ポットアセンブリの群（４００Ａ、４００Ｂ、４００Ｃ、４００Ｄ）と相互作用するように構成された弁アセンブリの群（４０２Ａ、４０２Ｂ、４０２Ｃ、４０２Ｄと、に流体連結するように構成される溶融物流路（２０１）と、
を含み、
前記複数出口アセンブリ（２０４）の各流出口は、前記弁アセンブリの群（４０２Ａ、４０２Ｂ、４０２Ｃ、４０２Ｄ）のそれぞれの弁アセンブリと流体連結する、溶融物吐出アセンブリ（２００）。
【請求項９】
請求項１に記載の溶融物吐出アセンブリ（２００）であって、
流入口（２０６）と、
前記流入口（２０６）を
射出ポットアセンブリ（４００）と、
前記射出ポットアセンブリ（４００）と相互作用するように構成された弁アセンブリ（４０２）と、
に流体連結するように構成された溶融物流路（２０１）と、
を含み、
前記複数出口アセンブリ（２０４）の各流出口は、前記弁アセンブリ（４０２）と流体連結される、溶融物吐出アセンブリ（２００）。
【請求項１０】
請求項１に記載の溶融物吐出アセンブリ（２００）であって、
流入口（２０６）と、
前記流入口（２０６）を前記複数出口アセンブリ（２０４）と流体連結するように構成された溶融物流路（２０１）と、
を含む、溶融物吐出アセンブリ（２００）。
【請求項１１】
請求項１に記載の溶融物吐出アセンブリ（２００）であって、
前記固定プラテン（１５２）はランナーアセンブリ（１９０）を担持するように構成され、
前記複数出口アセンブリ（２０４）は、溶融物作成アセンブリ（１１０）から前記ランナーアセンブリ（１９０）に使用中に前記溶融物を送るように構成され、
前記ランナーアセンブリ（１９０）は、
それぞれが前記複数出口アセンブリ（２０４）のそれぞれの流出口と流体連結するように構成された１組の分割モジュール（１９４）と、
マニホールドモジュールの集合体（１９６）であって、前記マニホールドモジュールの集合体（１９６）の各マニホールドモジュールは、前記分割モジュールの組の選択された分割モジュール（２０４）と流体連結するように構成され、前記マニホールドモジュールの集合体（１９６）は、前記金型アセンブリ（１８０）の前記固定金型部（１８２）と流体連結するように構成される、マニホールドモジュールの集合体（１９６）と、
を担持するように構成されたランナーフレームアセンブリ（１９２）を含む、溶融物吐出アセンブリ（２００）。
【請求項１２】
請求項１に記載の溶融物吐出アセンブリ（２００）であって、
前記固定プラテン（１５２）はランナーアセンブリ（１９０）を担持するように構成され、
前記固定プラテン（１５２）は、それぞれが前記複数出口アセンブリ（２０４）のそれぞれの流出口と流体連結するように構成された、１組の分割モジュール（１９４）を収納し担持するように構成され、
前記複数出口アセンブリ（２０４）は溶融物作成アセンブリ（１１０）から分割モジュールの前記組（１９４）に使用中に前記溶融物を送るように構成され、
前記ランナーアセンブリ（１９０）は、
マニホールドモジュールの集合体（１９６）であって、前記マニホールドモジュールの集合体（１９６）の各マニホールドモジュールは、前記分割モジュールの組（１９４）の選択された分割モジュールと流体連結するように構成され、前記マニホールドモジュールの集合体（１９６）は、前記金型アセンブリ（１８０）の前記固定金型部（１８２）と流体連結するように構成される、マニホールドモジュールの集合体（１９６）を担持するように構成されたランナーフレームアセンブリ（１９２）を含む、溶融物吐出アセンブリ（２００）。
【請求項１３】
請求項１に記載の溶融物吐出アセンブリ（２００）であって、
前記固定プラテン（１５２）は、
（ｉ）そのそれぞれが前記複数出口アセンブリ（２０４）のそれぞれの流出口と流体連結するように構成された、１組の分割モジュール（１９４）と、
（ｉｉ）マニホールドモジュールの集合体（１９６）であって、前記マニホールドモジュールの集合体（１９６）の各マニホールドモジュールは、前記分割モジュールの組（１９４）の選択された分割モジュールと流体連結するように構成され、前記マニホールドモジュールの集合体（１９６）は、前記金型アセンブリ（１８０）の前記固定金型部（１８２）と流体連結するように構成される、マニホールドモジュールの集合体（１９６）と、
を収納し担持するように構成され、
前記複数出口アセンブリ（２０４）は溶融物作成アセンブリ（１１０）から分割モジュールの前記組（１９４）に使用中に前記溶融物を送るように構成される、溶融物吐出アセンブリ（２００）。
【請求項１４】
請求項１に記載の溶融物吐出アセンブリ（２００）であって、
それぞれが前記複数出口アセンブリ（２０４）のそれぞれの流出口と流体連結するように構成された、１組の分割モジュール（１９４）を担持するように構成され、
前記固定プラテン（１５２）はマニホールドモジュールの集合体（１９６）を担持するように構成され、前記マニホールドモジュールの集合体（１９６）の各マニホールドモジュールは、前記分割モジュールの組（１９４）の選択された分割モジュールと流体連結するように構成され、前記マニホールドモジュールの集合体（１９６）は、前記金型アセンブリ（１８０）の前記固定金型部（１８２）と流体連結するように構成され、
前記複数出口アセンブリ（２０４）は、溶融物作成アセンブリ（１１０）から分割モジュールの前記組（１９４）に使用中に前記溶融物を送るように構成される、溶融物吐出アセンブリ（２００）。
【請求項１５】
請求項１に記載の溶融物吐出アセンブリ（２００）であって、
流入口（２０６）と、
前記流入口（２０６）および前記複数出口アセンブリ（２０４）を
前記溶融物流路（２０１）を通って前記溶融物を動かすように構成された溶融物移動アセンブリ（９００）と流体連結するように構成された溶融物流路（２０１）と、
を含む、溶融物吐出アセンブリ（２００）。
【請求項１６】
請求項１に記載の溶融物吐出アセンブリ（２００）であって、
前記固定プラテン（１５２）は、ランナーアセンブリ（１９０）を担持するように構成され、前記ランナーアセンブリ（１９０）は、前記金型アセンブリ（１８０）の前記可動金型部（１８２）と連結するように構成され、
前記複数出口アセンブリ（２０４）は、前記溶融物作成アセンブリ（１１０）から、前記ランナーアセンブリ（１９０）に、かつ前記金型アセンブリ（１８０）の前記固定金型部（１８２）に前記複数導管（２０７）に沿って、使用中に前記溶融物を送るように構成される、溶融物吐出アセンブリ（２００）。
【請求項１７】
プラテンエンベロープ（１５３）の外側に配置されるフレームアセンブリ（２０２）であって、前記フレームアセンブリ（２０２）は溶融物を受け取るように構成され、前記フレームアセンブリ（２０２）は、
前記溶融物を前記プラテンエンベロープ（１５３）に向かって複数導管（２０７）に流体搬送するように構成された複数出口アセンブリ（２０４）を含み、
前記複数導管（２０７）は前記複数出口アセンブリ（２０４）を金型アセンブリ（１８０）の固定金型部（１８２）に流体連結するように構成され、前記複数導管は固定プラテン（１５２）を迂回する、フレームアセンブリ（２０２）を備える、溶融物吐出アセンブリ（２００）。
【請求項１８】
請求項１７に記載の溶融物吐出アセンブリ（２００）であって、
前記フレームアセンブリ（２０２）は、溶融物作成アセンブリ（１１０）から離間して設置される、溶融物吐出アセンブリ（２００）。
【請求項１９】
請求項１７に記載の溶融物吐出アセンブリ（２００）であって、
前記フレームアセンブリ（２０２）は、プラテンアセンブリ（１５０）と溶融物作成アセンブリ（１１０）との間に配置される、溶融物吐出アセンブリ（２００）。
【請求項２０】
請求項１７に記載の溶融物吐出アセンブリ（２００）であって、
前記フレームアセンブリ（２０２）は、プラテンアセンブリ（１５０）の前記固定プラテン（１５２）と溶融物作成アセンブリ（１１０）との間に配置される、溶融物吐出アセンブリ（２００）。
【請求項２１】
請求項１７に記載の溶融物吐出アセンブリ（２００）であって、
前記フレームアセンブリ（２０２）は、
（ｉ）溶融物作成アセンブリ（１１０）と流体連通し、（ｉｉ）使用中に前記溶融物作成アセンブリ（１１０）によって作成され供給される前記溶融物を、使用中に受け取るように構成された流入口（２０６）を担持するように構成され、
前記複数出口アセンブリ（２０４）は、（ｉ）前記流入口（２０６）と流体連通し、（ｉｉ）プラテンアセンブリ（１５０）によって担持された前記金型アセンブリ（１８０）に向かって前記溶融物を使用中に送るように構成される、溶融物吐出アセンブリ（２００）。
【請求項２２】
請求項１７に記載の溶融物吐出アセンブリ（２００）であって、
前記固定プラテン（１５２）はランナーアセンブリ（１９０）を担持するように構成され、
前記複数出口アセンブリ（２０４）は、溶融物作成アセンブリ（１１０）から前記ランナーアセンブリ（１９０）に使用中に前記溶融物を送るように構成される、溶融物吐出アセンブリ（２００）。
【請求項２３】
請求項１７に記載の溶融物吐出アセンブリ（２００）であって、
前記固定プラテン（１５２）はランナーアセンブリ（１９０）を担持するように構成され、
前記複数出口アセンブリ（２０４）は、溶融物作成アセンブリ（１１０）から、前記固定プラテン（１５２）を通り抜けて延在する前記複数導管（２０７）に沿って前記ランナーアセンブリ（１９０）に使用中に前記溶融物を送るように構成される、溶融物吐出アセンブリ（２００）。
【請求項２４】
請求項１７に記載の溶融物吐出アセンブリ（２００）であって、
流入口（２０６）と、
前記流入口（２０６）および前記複数出口アセンブリ（２０４）を
射出ポットアセンブリの群（４００Ａ、４００Ｂ、４００Ｃ、４００Ｄ）と、
前記射出ポットアセンブリの群（４００Ａ、４００Ｂ、４００Ｃ、４００Ｄ）と相互作用するように構成された弁アセンブリの群（４０２Ａ、４０２Ｂ、４０２Ｃ、４０２Ｄと、に流体連結するように構成される溶融物流路（２０１）と、
を含み、
前記複数出口アセンブリ（２０４）の各流出口は、前記弁アセンブリの群（４０２Ａ、４０２Ｂ、４０２Ｃ、４０２Ｄ）のそれぞれの弁アセンブリと流体連結する、溶融物吐出アセンブリ（２００）。
【請求項２５】
請求項１７に記載の溶融物吐出アセンブリ（２００）であって、
流入口（２０６）と、
前記流入口（２０６）を
射出ポットアセンブリ（４００）と、
前記射出ポットアセンブリ（４００）と相互作用するように構成された弁アセンブリ（４０２）と、
に流体連結するように構成された溶融物流路（２０１）と、
を含み、
前記複数出口アセンブリ（２０４）の各流出口は、前記弁アセンブリ（４０２）と流体連結される、溶融物吐出アセンブリ（２００）。
【請求項２６】
請求項１７に記載の溶融物吐出アセンブリ（２００）であって、
流入口（２０６）と、
前記流入口（２０６）を前記複数出口アセンブリ（２０４）と流体連結するように構成された溶融物流路（２０１）と、
を含む、溶融物吐出アセンブリ（２００）。
【請求項２７】
請求項１７に記載の溶融物吐出アセンブリ（２００）であって、
前記固定プラテン（１５２）はランナーアセンブリ（１９０）を担持するように構成され、
前記複数出口アセンブリ（２０４）は、溶融物作成アセンブリ（１１０）から前記ランナーアセンブリ（１９０）に使用中に前記溶融物を送るように構成され、
前記ランナーアセンブリ（１９０）は、
それぞれが前記複数出口アセンブリ（２０４）のそれぞれの流出口と流体連結するように構成された１組の分割モジュール（１９４）と、
マニホールドモジュールの集合体（１９６）であって、前記マニホールドモジュールの集合体（１９６）の各マニホールドモジュールは、前記分割モジュールの組の選択された分割モジュール（２０４）と流体連結するように構成され、前記マニホールドモジュールの集合体（１９６）は、前記金型アセンブリ（１８０）の前記固定金型部（１８２）と流体連結するように構成される、マニホールドモジュールの集合体（１９６）と、
を担持するように構成されたランナーフレームアセンブリ（１９２）を含む、溶融物吐出アセンブリ（２００）。
【請求項２８】
請求項１７に記載の溶融物吐出アセンブリ（２００）であって、
前記固定プラテン（１５２）はランナーアセンブリ（１９０）を担持するように構成され、
前記固定プラテン（１５２）は、それぞれが前記複数出口アセンブリ（２０４）のそれぞれの流出口と流体連結するように構成された、１組の分割モジュール（１９４）を収納し担持するように構成され、
前記複数出口アセンブリ（２０４）は溶融物作成アセンブリ（１１０）から分割モジュールの前記組（１９４）に使用中に前記溶融物を送るように構成され、
前記ランナーアセンブリ（１９０）は、
マニホールドモジュールの集合体（１９６）であって、前記マニホールドモジュールの集合体（１９６）の各マニホールドモジュールは、前記分割モジュールの組（１９４）の選択された分割モジュールと流体連結するように構成され、前記マニホールドモジュールの集合体（１９６）は、前記金型アセンブリ（１８０）の前記固定金型部（１８２）と流体連結するように構成される、マニホールドモジュールの集合体（１９６）を担持するように構成されたランナーフレームアセンブリ（１９２）を含む、溶融物吐出アセンブリ（２００）。
【請求項２９】
請求項１７に記載の溶融物吐出アセンブリ（２００）であって、
前記固定プラテン（１５２）は、
（ｉ）そのそれぞれが前記複数出口アセンブリ（２０４）のそれぞれの流出口と流体連結するように構成された、１組の分割モジュール（１９４）と、
（ｉｉ）マニホールドモジュールの集合体（１９６）であって、前記マニホールドモジュールの集合体（１９６）の各マニホールドモジュールは、前記分割モジュールの組（１９４）の選択された分割モジュールと流体連結するように構成され、前記マニホールドモジュールの集合体（１９６）は、前記金型アセンブリ（１８０）の前記固定金型部（１８２）と流体連結するように構成される、マニホールドモジュールの集合体（１９６）と、
を収納し担持するように構成され、
前記複数出口アセンブリ（２０４）は溶融物作成アセンブリ（１１０）から分割モジュールの前記組（１９４）に使用中に前記溶融物を送るように構成される、溶融物吐出アセンブリ（２００）。
【請求項３０】
請求項１７に記載の溶融物吐出アセンブリ（２００）であって、
それぞれが前記複数出口アセンブリ（２０４）のそれぞれの流出口と流体連結するように構成された、１組の分割モジュール（１９４）を担持するように構成され、
前記固定プラテン（１５２）はマニホールドモジュールの集合体（１９６）を担持するように構成され、前記マニホールドモジュールの集合体（１９６）の各マニホールドモジュールは、前記分割モジュールの組（１９４）の選択された分割モジュールと流体連結するように構成され、前記マニホールドモジュールの集合体（１９６）は、前記金型アセンブリ（１８０）の前記固定金型部（１８２）と流体連結するように構成され、
前記複数出口アセンブリ（２０４）は、溶融物作成アセンブリ（１１０）から分割モジュールの前記組（１９４）に使用中に前記溶融物を送るように構成される、溶融物吐出アセンブリ（２００）。
【請求項３１】
請求項１７に記載の溶融物吐出アセンブリ（２００）であって、
流入口（２０６）と、
前記流入口（２０６）および前記複数出口アセンブリ（２０４）を
前記溶融物流路（２０１）を通って前記溶融物を動かすように構成された溶融物移動アセンブリ（９００）と流体連結するように構成された溶融物流路（２０１）と、
を含む、溶融物吐出アセンブリ（２００）。
【請求項３２】
請求項１７に記載の溶融物吐出アセンブリ（２００）であって、
前記固定プラテン（１５２）は、ランナーアセンブリ（１９０）を担持するように構成され、前記ランナーアセンブリ（１９０）は、前記金型アセンブリ（１８０）の前記可動金型部（１８２）と連結するように構成され、
前記複数出口アセンブリ（２０４）は、前記溶融物作成アセンブリ（１１０）から、前記ランナーアセンブリ（１９０）に、かつ前記金型アセンブリ（１８０）の前記固定金型部（１８２）に前記複数導管（２０７）に沿って、使用中に前記溶融物を送るように構成される、溶融物吐出アセンブリ（２００）。
【請求項３３】
プラテンアセンブリ（１５０）の外側に配置されるフレームアセンブリ（２０２）であって、前記フレームアセンブリ（２０２）は溶融物を受け取るように構成され、前記フレームアセンブリ（２０２）は、
前記溶融物を前記プラテンアセンブリ（１５０）に向かって複数導管（２０７）に流体搬送するように構成された複数出口アセンブリ（２０４）を含み、
前記プラテンアセンブリ（１５０）は固定プラテン（１５２）と可動プラテン（１５４）とを備え、前記固定プラテン（１５２）と前記可動プラテン（１５４）とは金型アセンブリ（１８０）を内部で担持するように構成されている、フレームアセンブリ（２０２）を備える、溶融物吐出アセンブリ（２００）。
【請求項３４】
請求項１から３３のいずれか一項に記載の溶融物吐出アセンブリ（２００）を備える、成形システム（１００）。
【請求項３５】
請求項１から３３のいずれか一項に記載の溶融物吐出アセンブリ（２００）と、両方が協働するように構成されたプラテンアセンブリ（１５０）および溶融物作成アセンブリ（１１０）を備える、成形システム（１００）。
【請求項３６】
請求項１から３３のいずれか一項に記載の前記溶融物吐出アセンブリ（２００）を備える、溶融物作成アセンブリ（１１０）。
【請求項３７】
請求項１から３３のいずれか一項に記載の前記溶融物吐出アセンブリ（２００）を備える、プラテンアセンブリ（１５０）。
【国際調査報告】
2014506841.tif 000017
2014506841.tif 000018